(57)【要約】【課題】ケース本体内部への水滴等の浸入を防止してスイッチ機構部を保護することができる防滴スイッチを提供する。【解決手段】本発明を適用したモードスイッチＳＷは、ベース１にトップケース２を被せて嵌合したケース本体３の内部にスイッチ機構部４が収容され、ケース本体３には、ベース１の上面に立設された傾斜する外壁面を有する隔壁１９と、トップケース２の下面に垂れ下がる変形可能なパッキン２４とが設けられており、ベース１にトップケース２を被せて嵌合したときに、隔壁１９に衝突したパッキン２４が撓み変形し、パッキン２４の内面が隔壁１９の外壁面に密着する防滴構造を備えている。【選択図】図１
2014056686.tif 000002
【特許請求の範囲】
【請求項１】
ベースにトップケースを被せて嵌合したケース本体内にスイッチ機構部が収容され、
前記ケース本体には、前記ベースの上面に立設された傾斜する外壁面を有する隔壁と、前記トップケースの下面に垂れ下がる変形可能なパッキンとが設けられており、
前記ベースに前記トップケースを被せて嵌合したときに、前記隔壁に衝突した前記パッキンが撓み変形し、当該パッキンの内面が前記隔壁の外壁面に密着する防滴構造を備えたことを特徴とする防滴スイッチ。
【請求項２】
前記防滴構造は、前記ベースと前記トップケースとの嵌合部よりも内側に設けられていることを特徴とする請求項１に記載の防滴スイッチ。
【請求項３】
前記スイッチ機構部は、回転するギアと、ギアに連動して回転可能に支持されたローターと、ローターの回転に伴って昇降可能に設置されたアクチュエーターと、アクチュエーターの下降により反曲して固定接点に接触しアクチュエーターの上昇により復元して固定接点から離隔する接点ばね片とから構成されていることを特徴とする請求項１又は２に記載の防滴スイッチ。
【請求項４】
前記スイッチ機構部において、前記トップケースの上面に設けられた二重のリップパッキンが前記ギアの下面に密着する防滴構造を更に備えたことを特徴とする請求項３に記載の防滴スイッチ。
【発明の詳細な説明】
【技術分野】
【０００１】
本発明は、ケース本体内部への水滴等の浸入を防止してスイッチ機構部を保護することができる防滴スイッチに関する。
【背景技術】
【０００２】
ビデオテープレコーダーやカセットテープレコーダー等の磁気記録再生装置にはテープローディング機構が設けられており、従来このテープローディング機構には、特許文献１に開示されているようなモードスイッチが使用されている。特許文献１のモードスイッチは、ベースとローターと接点ばね片プレートとアクチュエータープレートからなり、ベースの固定接点上に接点ばね片プレートの各接点ばね片の可動接点を相対離隔して設置し、接点ばね片上にアクチュエータープレートの各アクチュエーターを載せ、ローターをアクチュエータープレート上に設置してベースに回転可能に取り付けたものである。このモードスイッチは、ローターの回転動作により、アクチュエーターが下降すると接点ばね片を下方に反曲させて可動接点が固定接点に接触し、アクチュエーターが上昇すると接点ばね片を復元させて可動接点が固定接点から離隔して、スイッチのＯＮとＯＦＦを切り換えるようになっている。
【０００３】
ところで、この従来のモードスイッチによると、ベースの上に接点ばね片プレート、アクチュエータープレート、ローターの順に載置し、その上からトップケースを被せ、ベースとトップケースを嵌合して組み立てられている。このため、ベースとトップケースの間に嵌合隙間が生じている場合には、その隙間から水滴等が内部に入り込む恐れがある。これにより、接点の錆付きや汚れによる導通不良が起こり、スイッチ機構部の正常な動作に支障を来たすという問題があった。
【先行技術文献】
【特許文献】
【０００４】
【特許文献１】特開２０００−１８２４７７号公報
【発明の概要】
【発明が解決しようとする課題】
【０００５】
本発明は、このような問題を解決するためになされたものであり、その目的とするところは、ケース本体内部への水滴等の浸入を防ぎ、ケース本体内部に収容されたスイッチ機構部を保護することができる防滴スイッチを提供することにある。
【課題を解決するための手段】
【０００６】
前記の目的を達成するため、本発明の防滴スイッチは、ベースにトップケースを被せて嵌合したケース本体内にスイッチ機構部が収容され、前記ケース本体には、前記ベースの上面に立設された傾斜する外壁面を有する隔壁と、前記トップケースの下面に垂れ下がる変形可能なパッキンとが設けられており、前記ベースに前記トップケースを被せて嵌合したときに、前記隔壁に衝突した前記パッキンが撓み変形し、当該パッキンの内面が前記隔壁の外壁面に密着する防滴構造を備えたことを特徴とするものである。
【０００７】
ここで、前記防滴構造は、前記ベースと前記トップケースとの嵌合部よりも内側に設けられていることが好ましい。前記スイッチ機構部の構造は特に限定されないが、例えば、回転するギアと、ギアに連動して回転可能に支持されたローターと、ローターの回転に伴って昇降可能に設置されたアクチュエーターと、アクチュエーターの下降により反曲して固定接点に接触しアクチュエーターの上昇により復元して固定接点から離隔する接点ばね片とから構成されている構造を採用することができる。また、この構造からなるスイッチ機構部において、前記トップケースの上面に設けられた二重のリップパッキンが前記ギアの下面に密着する防滴構造を更に備えていても良い。
【発明の効果】
【０００８】
本発明の防滴スイッチによれば、スイッチ機構部を収容するケース本体はベースにトップケースを被せて嵌合することにより形成されており、ベースとトップケースを嵌合したときに、隔壁に衝突したパッキンが撓み変形し、パッキンの内面が隔壁の外壁面に密着するように構成されている。このため、トップケースとベースとの間の隙間が完全にシールされ、ケース本体の密閉性が保たれているため、ケース本体の内部への水滴等の浸入を確実に防ぐことができる。したがって、接点の錆付きや汚れによる導通不良が生じることがなく、スイッチ機構部の長期にわたる安定した正常な動作を保証することができる。
【図面の簡単な説明】
【０００９】
【図１】本発明の防滴スイッチをモードスイッチに適用した例を示す全体図であり、（ａ）は上面から内部を透視した状態を示す平面図、（ｂ）は拡大したＡ−Ａ断面図である。
【図２】図１のモードスイッチを構成するローターの部品図であり、（ａ）は平面図、（ｂ）は正面図、（ｃ）はＡ−Ａ断面図、（ｄ）は裏面図である。
【図３】図１のモードスイッチを構成するベースの部品図であり、（ａ）は平面図、（ｂ）は正面図、（ｃ）は拡大したＡ−Ａ断面図、（ｄ）は拡大したＢ−Ｏ−Ｂ断面図である。
【図４】図１のモードスイッチを構成するトップケースの部品図であり、（ａ）は平面図、（ｂ）は左側面図、（ｃ）はＡ−Ａ断面図である。
【図５】図１のモードスイッチを構成する接点ばね片プレートの部品図であり、（ａ）は平面図、（ｂ）は右側面図である。
【図６】図１のモードスイッチを構成するアクチュエータープレートの部品図であり、（ａ）は平面図、（ｂ）はＡ−Ａ断面図、（ｃ）はＢ矢視図である。
【図７】図１のモードスイッチを構成するギアの部品図であり、（ａ）は平面図、（ｂ）はＡ−Ａ断面図、（ｃ）は裏面図である。
【図８】図１のモードスイッチにおけるベースとトップケースの嵌合状態を示す拡大図であり、（ａ）は嵌合前の状態を示す断面図、（ｂ）は嵌合後の状態を示す断面図である。
【図９】図１のモードスイッチにおけるスイッチ機構部の動作を示す拡大図であり、（ａ）は静止時の状態を示す断面図、（ｂ）はローターの回転時の状態を示す断面図である。
【発明を実施するための形態】
【００１０】
以下、本発明の実施形態について、図面を参照しながら説明する。
【００１１】
本実施形態の防滴スイッチは、磁気記録再生装置のテープローディング機構に使用され、ローターの回転動作により接点を切り換えるモードスイッチであり、ケース本体内部への水滴等の浸入を防ぐ防滴構造を備えたことを特徴とするものである。以下、このスイッチの詳細について、（１）部品の構造、（２）組立方法、（３）スイッチの動作と作用の順に従って説明する。
【００１２】
（１）部品の構造
図１に示すように、このモードスイッチＳＷは、ベース１にトップケース２を被せて嵌合したケース本体３の内部にスイッチ機構部４が収容されたものである。スイッチ機構部４は、ローター５と、接点ばね片プレート６と、アクチュエータープレート７と、ギア８を備えて構成されている。
【００１３】
図２に示すように、ローター５は、円形の絶縁板からなり、その中心に中空状の回転軸９が突設されている。また、回転軸９を中心とする５つの仮想同心円ａ、ｂ、ｃ、ｄ、ｅ上には、それぞれ所定長さに設定された円弧状又は円形状の凸条１０が形成されている。
【００１４】
図３に示すように、ベース１は、円形の底板１１を有する絶縁板からなり、底板１１の上面中心に前記回転軸９に嵌合する支軸１２が立設されている。また、支軸１２を中心として、前記仮想同心円ａ、ｂ、ｃ、ｄ、ｅに相対する５つの仮想同心円ａ′、ｂ′、ｃ′、ｄ′、ｅ′が設定されており、その近傍にガイド支柱１３が形成され、ガイド支柱１３，１３間に設けられたガイド溝１４が仮想同心円ａ′、ｂ′、ｃ′、ｄ′、ｅ′上に配置されている。また、ガイド支柱１３に隣接した位置にはそれぞれ固定接点１５，１５，…がベース１上に露出形成され、固定接点１５に連続する端子１６がベース１の外部に突出している。また、支軸１２の左右対称位置には、接点ばね片プレート６とアクチュエータープレート７を嵌着するためのピン１７が設けられている。さらに、ベース１の外周部には、トップケース２を装着するための嵌合部として４個の係止爪１８，１８，…が形成されている。また、嵌合部の内側には、外部からの水滴等の浸入を防ぐ防滴構造の一部として、円環状の隔壁１９がベース１の上面に立設されている。この隔壁１９は、ベース１の外側に向かって下り傾斜する外壁面を有している。
【００１５】
図４に示すように、トップケース２は、円形の天板２０を有する熱可塑性エラストマ―（ＴＰＥ）からなり、天板２０の中心に前記回転軸９を挿通する円筒部２１が設けられている。また、トップケース２の外縁部には、前記ベース１を装着するための嵌合部として係止片２２が設けられ、係止片２２には前記係止爪１８に嵌合する４個の係止孔２３，２３，…が形成されている。また、係止片２２の内側には、ベース１との隙間をシールする防滴構造の一部として、先端を細くした弾性変形可能な円環状のパッキン２４が天板２０の裏面に垂れ下がるように設けられている。さらに、円筒部２１の上面には、ギア８との隙間をシールする防滴構造として二重のリップパッキン２５が設けられている。
【００１６】
図５に示すように、接点ばね片プレート６は、略扇形の金属板からなり、その左右両側に先端を可動接点２６とした細長状の接点ばね片２７が一体成形されている。また、金属板のプレート２８には前記ピン１７に嵌着するための取付孔２９が形成されている。
【００１７】
図６に示すように、アクチュエータープレート７は、前記接点ばね片プレート６と略同形同大の絶縁板からなり、前記接点ばね片２７と相対する位置にそれぞれアクチュエーター３０が設けられ、接点ばね片プレート７の取付孔２９と相対する位置に貫通孔３１が形成されている。各々のアクチュエーター３０は、プレート３２の左右両側に一体成形された細長状のばね片３３の先端に山形コマ状に形成され、その両側面には前記ガイド溝１４に係合するガイド突起３４が設けられている。
【００１８】
図７に示すように、ギア８は、円形の絶縁板からなり、その中心に中空状の駆動軸３５が突設されている。駆動軸３５の外側には、外周に沿って所定ピッチに設定された複数個の歯車３６，３６，…が形成されている。また、駆動軸３５の下端には４本に分割した取付片３７，３７，…が一体成形されており、その先端に係止爪３８が形成されている。
【００１９】
（２）組立方法
このように構成された各部品は、以下のようにして組み立てられる。まず、図３に示すベース１の上に図５に示す接点ばね片プレート６を載置し、取付孔２９にピン１７を嵌め、ベース１に接点ばね片プレート６を取り付ける。これにより、各可動接点２６，２６，…がベース１上の各固定接点１５，１５，…に相対し、互いに離隔した状態で配置される。次に、接点ばね片プレート６の上に図６に示すアクチュエータープレート７を載せ、貫通孔３１にピン１７を挿入し、ベース１にアクチュエータープレート７を取り付ける。これにより、ガイド突起３４がベース１上のガイド溝１４に係合し、各アクチュエーター３０，３０，…が各接点ばね片２７，２７，…に当接した状態で支持される。こうして、ベース１と接点ばね片プレート６とアクチュエータープレート７を一体化したベース一式が完成する。
【００２０】
次いで、図２に示すローター５の上に図４に示すトップケース２を被せ、回転軸９を円筒部２１に挿通させる。この状態でトップケース２の上から図７に示すギア８を載せて、駆動軸３５を回転軸９に差し込む。このとき、駆動軸３５に一体化された取付片３７が窄まり、回転軸９を通り抜けると拡がるため、先端の係止爪３８が回転軸９の下端に係止され、ローター５とギア８が一緒にトップケース２に取り付けられる。また、トップケース２の天板２０にギア８の周縁部が当接し、これと同時に、円筒部２１の上面に設けられた二重のリップパッキン２５がギア８の下面に密着し、トップケース２とギア８との間の隙間が完全にシールされる。こうして、トップケース２とローター５とギア８を一体化したトップケース一式が完成する。
【００２１】
最後に、ベース一式の上からトップケース一式を被せ、ギア８の駆動軸３５をベース１の支軸１２に嵌め、ベース１とトップケース２を嵌合する。両者の嵌合は、トップケース２の係止孔２３に、ベース１の係止爪１８を嵌め込むことにより行う。このとき、図８（ａ）に示す嵌合前の状態ではパッキン２４が隔壁１９から離れているが、図８（ｂ）に示す嵌合後の状態ではパッキン２４の先端が隔壁１９の傾斜した外壁面に衝突して撓み変形する。これにより、パッキン２４の内面が隔壁１９の外壁面に密着し、ベース１とトップケース２との間の隙間が完全にシールされるようになっている。
【００２２】
このようにして、図１に示したような、ベース１とトップケース２からなるケース本体３の内部にローター５と接点ばね片プレート６とアクチュエータープレート７を備えたスイッチ機構部４が収容され、ギア８に連結されたローター５がベース１の支軸１２に回転可能に支持されたモードスイッチＳＷが完成する。
【００２３】
（３）スイッチの動作と作用
以上のように組み立てられたモードスイッチＳＷは、ギア８に連動するローター５の回転動作によりスイッチのＯＮとＯＦＦを切り換えるようになっている。すなわち、図９（ａ）に示すように、ローター５が静止した状態において、すべてのアクチュエーター３０は、接点ばね片２７の付勢力で押し上げられてローター５の下方に静止している。このとき、各可動接点２６は、ベース１上の各固定接点１５から離れた状態で配置されている。これがスイッチＯＦＦの状態である。
【００２４】
ここで、図１に示すギア８を歯車３６によって所定角度回転させると、駆動軸３５を介して回転軸９に回転力が伝達され、ローター５が回転軸９を中心として所定角度回転動作する。すると、図９（ｂ）に示すように、ローター５の下面の凸条１０がアクチュエーター３０の上に乗り上げ、ガイド突起３４がガイド溝１４に沿って凸条１０の高さ分だけ垂直下降する。そして、アクチュエーター３０に押された接点ばね片２７が下方に反曲し、先端の可動接点２６が降下して固定接点１５に接触することによりスイッチがＯＮに切り換わる。さらにギア８の回転によってローター５を回転させると、凸条１０がアクチュエーター３０から外れて降り、接点ばね片２７が弾性力で復元し、先端の可動接点２６が上昇して固定接点１５から離隔することによりスイッチがＯＦＦに切り換わる。
【００２５】
また、本実施形態のモードスイッチＳＷによれば、トップケース２の上面に設けられた二重のリップパッキン２５がギア８の下面に密着しているため、トップケース２とギア８との間の隙間が完全にシールされている。また、ベース１に被せたトップケース２を嵌合することによりケース本体３が形成されており、嵌合部より内側ではパッキン２４の内面が隔壁１９の外壁面に密着しているため、ベース１とトップケース２との間の隙間も完全にシールされている。したがって、ケース本体３の密閉性が保たれているため、ケース本体３の内部への水滴等の浸入を確実に防ぐことができる。よって、接点の錆付きや汚れによる導通不良が生じることがなく、スイッチ機構部４の長期にわたる安定した正常な動作が保証される。
【００２６】
以上説明した実施形態においては、防滴スイッチを構成するスイッチ機構部４としてモードスイッチＳＷを採用したが、これに限らず、レバースイッチやスライドスイッチといったその他の構造のスイッチを採用しても良い。また、ケース本体３を構成するベース１とトップケース２についても、その形状や素材は前述の実施形態に限定されるものではなく、本発明の技術的思想の範囲内において当業者の通常の創作能力によって適宜変更することが可能である。
【符号の説明】
【００２７】
ＳＷ…モードスイッチ（防滴スイッチ）
１…ベース
２…トップケース
３…ケース本体
４…スイッチ機構部
５…ローター
６…接点ばね片プレート
７…アクチュエータープレート
８…ギア
９…回転軸
１０…凸条
１１…底板
１２…支軸
１３…ガイド支柱
１４…ガイド溝
１５…固定接点
１６…端子
１７…ピン
１８…係止爪
１９…隔壁
２０…天板
２１…円筒部
２２…係止片
２３…係止孔
２４…パッキン
２５…リップパッキン
２６…可動接点
２７…接点ばね片
２８…プレート
２９…取付孔
３０…アクチュエーター
３１…貫通孔
３２…プレート
３３…ばね片
３４…ガイド突起
３５…駆動軸
３６…歯車
３７…取付片
３８…係止爪
【図１】
2014056686.tif 000003
【図２】
2014056686.tif 000004
【図３】
2014056686.tif 000005
【図４】
2014056686.tif 000006
【図５】
2014056686.tif 000007
【図６】
2014056686.tif 000008
【図７】
2014056686.tif 000009
【図８】
2014056686.tif 000010
【図９】
2014056686.tif 000011